(57)【要約】【課題】  比較的単純な構成で半嵌合状態か完全嵌合状態かを確実に検知できる電気コネクタ組立体を提供する。【解決手段】  雄型ハウジング１２２を備えた第１の電気コネクタ１２０と、雄型ハウジング１２２を受容する受容部１１１が形成された雌型ハウジング１４２を備えた第２の電気コネクタ１４０とからなり、第２の電気コネクタが、接触部１４４を有し、警告手段に電気的に接続される２つの検知用端子１４６と、完全嵌合状態で雄型ハウジング１２２と雌型ハウジング１１１との抜け止めをする係合突起１４８とを、受容部１１１内に備えたものであり、第１の電気コネクタが、完全嵌合状態で接触部１４４を互いに接触させることにより半嵌合状態と完全嵌合状態とで検知用端子１４６と警告手段との接続状態を切り替えるテーパ部１２８と、完全嵌合状態で係合突起と係合する係合突起１２６とを有するラッチアーム１２４を、雄型ハウジング１２２に備えた。【選択図】        図９
2006140167.tif 000002
【特許請求の範囲】
【請求項１】
雄型ハウジングを備えた第１の電気コネクタと、前記雄型ハウジングを受容する受容部が形成された雌型ハウジングを備えた第２の電気コネクタとからなり、前記第１及び前記第２の電気コネクタが嵌合途中の半嵌合状態か嵌合が終了した完全嵌合状態かを表す警告手段に電気的に接続される電気コネクタ組立体において、
前記第２の電気コネクタが、
互いに並んで嵌合方向に延びると共に互いに接離自在な接触部を有し、前記警告手段に電気的に接続される２つの検知用端子と、
前記完全嵌合状態で前記雄型ハウジングと前記雌型ハウジングとの抜け止めをする係合突起とを、前記受容部内に備えたものであり、
前記第１の電気コネクタが、
前記完全嵌合状態で前記接触部を互いに接触させることにより前記半嵌合状態と前記完全嵌合状態とで前記検知用端子と前記警告手段との接続状態を切り替える切替部材と、前記完全嵌合状態で前記係合突起と係合する係合突起とを有するラッチアームを、前記雄型ハウジングに備えたものであることを特徴とする電気コネクタ組立体。
【発明の詳細な説明】
【技術分野】
【０００１】
本発明は、互いに嵌合する第１の電気コネクタと第２の電気コネクタとからなる電気コネクタ組立体に関する。
【背景技術】
【０００２】
近年、自動車が衝突した際に自動的に膨らみ、運転者などを衝撃から守る緩衝用の空気袋（エアバッグ）を備えたエアバッグ装置が自動車に搭載され広く使用されている。エアバッグ装置には、エアバッグの他、エアバッグを膨張させる膨張流体を発生する発生器や、衝突を検知するセンサ等が備えられている。これら発生器やセンサなどは、一般に、電気回路が形成された複数の基板を有しており、各基板同士の接続には、雌型ハウジングとこの雌型ハウジングに配列された端子とを備えた電気コネクタ、及び、雄型ハウジングとこの雄型ハウジングに配列された端子を備えた電気コネクタ双方からなる電気コネクタ組立体が使用される。
【０００３】
雌型ハウジングと雄型ハウジングは、通常、これらが完全に嵌合した場合の抜け止めをするラッチ部材を備えている。雌型ハウジングと雄型ハウジングとが完全に嵌合すると、ラッチ部材によって両者の抜け止めが行われ、雌型ハウジングに配列された端子と雄型ハウジングに配列された端子とが接続され、各基板同士が接続される。ところが、雌型ハウジングと雄型ハウジングとが嵌合途中の状態（半嵌合状態）でも端子同士が接続されることがあり、この場合、ラッチ部材による抜け止めが行われていないので、雌型ハウジングと雄型ハウジングとが不用意に抜け、端子同士の接続が解除されるおそれがある。そこで、雌型ハウジングと雄型ハウジングとが完全に嵌合した状態（完全嵌合状態）か、半嵌合状態かを警告灯等を使用して電気的に検知することが従来から行なわれている。
【０００４】
このような電気コネクタ組立体の一つとして、特許文献１に開示されている電気コネクタ組立体が知られている。この電気コネクタ組立体は、雌型ハウジングを備えた第１の電気コネクタと雄型ハウジングを備えた第２の電気コネクタとからなり、第１の電気コネクタは、雌型ハウジングに一体に形成されたラッチ突起と半嵌合検知用端子とを備えている。第２の電気コネクタは、雌型ハウジングのラッチ突起と係合するラッチ突起と、完全嵌合状態で雌型ハウジングの半嵌合検知用端子に接触する可撓性半嵌合検知用端子とを備えている。第２の電気コネクタのラッチ突起は、雄型ハウジングの板状可撓性部材の表面に形成されており、この板状可撓性部材の裏面には、半嵌合状態で可撓性半嵌合検知用端子を押圧し、この可撓性半嵌合検知用端子と雌型ハウジングの半嵌合検知用端子とを接触させない押圧突起が形成されている。
【０００５】
上記の第１の電気コネクタと第２の電気コネクタとを嵌合させる際、両者が半嵌合状態では、雌型ハウジングのラッチ突起の頂上部が雄型ハウジングのラッチ突起の頂上部を押圧し、これにより、雄型ハウジングの板状可撓性部材が下方に撓んで押圧突起が可撓性半嵌合検知用端子を押圧し、この可撓性半嵌合検知用端子と雌型ハウジングの半嵌合検知用端子との接続が妨げられる。第１の電気コネクタと第２の電気コネクタとが完全に嵌合した状態では、雌型ハウジングのラッチ突起と雄型ハウジングのラッチ突起とが係合することにより、半嵌合状態では撓んでいた板状可撓性部材を元の状態に戻し、可撓性半嵌合検知用端子と雌型ハウジングの半嵌合検知用端子とを接続させる。これにより、可撓性半嵌合検知用端子と雌型ハウジングの半嵌合検知用端子とが閉回路を形成し、例えばこの閉回路に接続されている警告灯が点灯し、第１の電気コネクタと第２の電気コネクタとが完全に嵌合しており半嵌合状態でないことが検知される。
【０００６】
また、このような電気コネクタ組立体の他の例として、特許文献２に開示されている電気コネクタ組立体が知られている。
【０００７】
この電気コネクタ組立体は、雌型ハウジングを備えた第１の電気コネクタと雄型ハウジングを備えた第２の電気コネクタとからなり、第１の電気コネクタの雌型ハウジングには、係合孔と前方に向かって降下する傾斜面とが形成されており、この傾斜面のやや後方の下方には半嵌合検知用端子が配置されている。一方、第２の電気コネクタの雄型ハウジングには、雌型ハウジングの係合孔に係合する係合突起が形成されており、さらに、半嵌合検知用端子に接続される可撓性半嵌合検知用端子が配列されている。
【０００８】
上記の第１の電気コネクタと第２の電気コネクタとを嵌合させる際、両者が半嵌合状態では、可撓性半嵌合検知用端子が雌型ハウジングの傾斜面に乗り上げ、この可撓性半嵌合検知用端子と雌型ハウジングの半嵌合検知用端子との接続が妨げられる。第１の電気コネクタと第２の電気コネクタとが完全に嵌合した状態では、雌型ハウジングのラッチ孔に雄型ハウジングのラッチ突起が嵌り込み、一方、雌型ハウジングの傾斜面に乗り上げていた可撓性半嵌合検知用端子が落下して雌型ハウジングの半嵌合検知用端子に接続される。これにより、雄型ハウジングの可撓性半嵌合検知用端子と雌型ハウジングの半嵌合検知用端子とが閉回路を形成し、この閉回路に接続されている警告灯が点灯し、第１の電気コネクタと第２の電気コネクタとが完全に嵌合しており半嵌合状態でないことが検知される。
【０００９】
また、同様な電気コネクタ組立体のさらに他の例として、特許文献３に開示されている電気コネクタ組立体が知られている。
【００１０】
この電気コネクタ組立体は、雌型ハウジングを備えた第１の電気コネクタと雄型ハウジングを備えた第２の電気コネクタとからなり、第１の電気コネクタの雌型ハウジングには、先端に係合突起が形成された可撓性の係合アームが形成されている。一方、第２の電気コネクタの雄型ハウジングには、係合アームの係合突起に係合する係合突起が形成されている。この係合突起の後方のハウジング表面には並列した２つの半嵌合検知用端子が露出して配置されており、この２つの半嵌合検知用端子の一方には短絡用端子が接触し、他方の上方には可撓性短絡用端子が配置されている。
【００１１】
上記の第１の電気コネクタと第２の電気コネクタとを嵌合させる際、両者が半嵌合状態では、半嵌合検知用端子の一方の上方に可撓性短絡用端子が位置し、２つの半嵌合検知用端子が短絡されていない。第１の電気コネクタと第２の電気コネクタとが完全に嵌合した状態では、雌型ハウジングの係合突起が、雄型ハウジングの係合突起と係合すると共に可撓性短絡用端子を下方に押圧しこの可撓性短絡用端子と半嵌合検知用端子とを接続させる。これにより、雄型ハウジングの２つの半嵌合検知用端子が短絡されて閉回路を形成し、この閉回路に接続されている警告灯が点灯し、第１の電気コネクタと第２の電気コネクタとが完全に嵌合しており半嵌合状態でないことが検知される。
【特許文献１】特開平１−１６７９７１号公報
【特許文献２】実開平２−５０９８２号公報
【特許文献３】実公平４−３４１９号公報
【発明の開示】
【発明が解決しようとする課題】
【００１２】
上記した従来の警告灯を備えた電気コネクタ組立体のうち、特許文献１に開示されている電気コネクタ組立体は、上述したように、第１の電気コネクタと第２の電気コネクタとが半嵌合状態では、雌型ハウジングのラッチ突起の頂上部が雄型ハウジングのラッチ突起の頂上部を押圧し、これにより、雄型ハウジングの板状可撓性部材が下方に撓み、押圧突起が可撓性半嵌合検知用端子を押圧し、この可撓性半嵌合検知用端子と雌型ハウジングの半嵌合検知用端子との接続が妨げられるようになっており、このため、電気コネクタ組立体が複雑な構造であるという問題がある。
【００１３】
また、特許文献２に開示されている電気コネクタ組立体は、上述したように、第１の電気コネクタと第２の電気コネクタとが完全に嵌合した状態では、雌型ハウジングのラッチ孔に雄型ハウジングのラッチ突起が嵌り込み、一方、雌型ハウジングの傾斜面に乗り上げていた可撓性半嵌合検知用端子が落下して雌型ハウジングの半嵌合検知用端子に接続され、これにより、半嵌合が検知されるようになっているものの、半嵌合検知用端子の動きと係合突起の動きとが連動していない。このため、半嵌合検知の信頼性が低下するおそれがある。
【００１４】
また、特許文献３に開示されている電気コネクタ組立体では、上述したように、ハウジング表面に並列した２つの半嵌合検知用端子が露出して配置されており、このため、２つの半嵌合検知用端子が汚れ易く、導電性のごみなどが付着すると完全嵌合状態に誤認され、半嵌合状態を正確に検知できないおそれがある。また、短絡用端子も露出しているので、外力により不用意に半嵌合検知用端子を短絡させてしまうおそれがあり信頼性が低いという問題がある。
【００１５】
本発明は、上記事情に鑑み、比較的単純な構造で信頼性の向上した半嵌合検知機能を有する電気コネクタ組立体を提供することを目的とする。
【課題を解決するための手段】
【００１６】
上記目的を達成するための本発明の電気コネクタ組立体は、雄型ハウジングを備えた第１の電気コネクタと、上記雄型ハウジングを受容する受容部が形成された雌型ハウジングを備えた第２の電気コネクタとからなり、上記第１及び上記第２の電気コネクタが嵌合途中の半嵌合状態か嵌合が終了した完全嵌合状態かを表す警告手段に電気的に接続される電気コネクタ組立体において、上記第２の電気コネクタが、互いに並んで嵌合方向に延びると共に互いに接離自在な接触部を有し、上記警告手段に電気的に接続される２つの検知用端子と、上記完全嵌合状態で上記雄型ハウジングと上記雌型ハウジングとの抜け止めをする係合突起とを、上記受容部内に備えたものであり、上記第１の電気コネクタが、上記完全嵌合状態で上記接触部を互いに接触させることにより上記半嵌合状態と上記完全嵌合状態とで上記検知用端子と上記警告手段との接続状態を切り替える切替部材と、上記完全嵌合状態で上記係合突起と係合する係合突起とを有するラッチアームを、上記雄型ハウジングに備えたものであることを特徴とするものである。
【００１７】
ここで、警告手段とは、ランプなどの警告灯や、ブザーなどの警報をいう。
【発明の効果】
【００１８】
以上説明したように、本発明の電気コネクタ組立体は、第１の電気コネクタが有するラッチアームと、第２の電気コネクタが受容部内に有する２つの検知用端子及び係合突起とにより、半嵌合状態か完全嵌合状態かを検知するように構成されているので、比較的単純な構成で半嵌合状態か完全嵌合状態かを確実に検知でき、検知の信頼性が向上する。
【発明を実施するための最良の形態】
【００１９】
以下、図面を参照して本発明の電気コネクタ組立体の実施形態を説明する。
【００２０】
図１から図５までは、本発明の第１実施形態の電気コネクタ組立体が嵌合する途中の半嵌合状態から嵌合の終了した完全嵌合状態までを示す断面図である。
【００２１】
電気コネクタ組立体１０は、雄型ハウジング２２を備えた第１の電気コネクタ２０と、雌型ハウジング４２を備えた第２の電気コネクタ４０とからなり、これら第１及び第２の電気コネクタ２０，４０が嵌合途中の半嵌合状態か嵌合が終了した完全嵌合状態かを表す警告灯（図示せず）に電気的に接続されている。
【００２２】
第１の電気コネクタ２０は、嵌合方向（矢印Ａ方向）に延びる可撓性のラッチアーム２４と、ラッチアーム２４に向き合って嵌合方向に延びる可撓性の第１の検知用端子２６とを備えている。ラッチアーム２４と第１の検知用端子２６とは、一枚の金属板を打ち抜き、折り曲げて一体に形成されたものであり、一つの金属製部材２８を構成している。ラッチアーム２４には係合孔３０が形成されており、第１の検知用端子２６は警告灯に電気的に接離自在に接続されている。ラッチアーム２４の中央部では、このラッチアーム２４を切り欠いて形成された押圧突起３２が第１の検知用端子２６に向かって延びている。この押圧突起３２は、第１の検知用端子２６へ向かうラッチアーム２４の撓みを第１の検知用端子２６に伝えて第１の検知用端子２６を撓ませる。これにより、後述するように、半嵌合状態と完全嵌合状態とで第１の検知用端子２６と警告灯との接続状態が切り替えられる。尚、雄型ハウジング２２には、電気信号を伝達する端子（図示せず）が配列される孔３４や、ダブルロック部材（図示せず）が挿入されるダブルロック部材用孔３６も形成されている。
【００２３】
第２の電気コネクタ４０は、第１及び上記第２の電気コネクタ２０，４０が嵌合するに伴ってラッチアーム２４と第１の検知用端子２６とに挟まれた空間に挿入される第２の検知用端子４４を備えており、この第２の検知用端子４４は警告灯に電気的に接続されている。雌型ハウジング４２からは、雄型ハウジング２２に向かって係合アーム４６が延びており、その先端部には係合突起４８が形成されている。この係合突起４８の機能を説明する。
【００２４】
図１に示すように、第１及び第２の電気コネクタ２０，４０が嵌合し始めた初期の半嵌合状態では、係合突起４８はラッチアーム２４に軽く接触している程度であり、第１の検知用端子２６と第２の検知用端子４４とは接触していない。図１に示す状態からやや嵌合が進んだ半嵌合状態では、図２に示すように、係合突起４８がラッチアーム２４を撓ませ、これにより、押圧突起３２がラッチアーム２４の撓みを第１の検知用端子２６に伝えてこの第１の検知用端子２６を撓ませる。このため、第１の検知用端子２６が下方へ押し下げられることとなり、第１の検知用端子２６が第２の検知用端子４４から離れ、両者は接触しない。図２に示す状態からやや嵌合が進んだ半嵌合状態では、図３に示すように、係合突起４８がラッチアーム２４をさらに撓ませ、これにより、押圧突起３２がラッチアーム２４の撓みを第１の検知用端子２６に伝えてこの第１の検知用端子２６をさらに撓ませる。このため、第１の検知用端子２６が下方へ押し下げられることとなり、第２の検知用端子４４が第１の検知用端子２６の上方にきても、両者は接触しない。図３に示す状態からやや嵌合が進み、完全に嵌合する直前の半嵌合状態では、図４に示すように、係合突起４８がラッチアーム２４をいっそう撓ませ、これにより、押圧突起３２がラッチアーム２４の撓みを第１の検知用端子２６に伝えてこの第１の検知用端子２６をいっそう撓ませる。このため、第１の検知用端子２６が下方へ押し下げられることとなり、第２の検知用端子４４が第１の検知用端子２６の上方にきても、両者は接触しない。図４に示す状態からやや嵌合が進み、完全に嵌合した完全嵌合状態では、図５に示すように、係合突起４８が係合孔３０嵌り込んで係合する。これにより、ラッチアーム２４の撓みが解除されると共に第１及び第２の検知用端子２６，４４が接続する。この結果、警告灯が接続された電気回路が閉じられ、この警告灯が点灯し、第１及び第２の電気コネクタ２０，４０が完全に嵌合したことが検知される。
【００２５】
このように、電気コネクタ組立体１０によれば、強度のある金属製のラッチアーム２４と第１の検知用端子２６とが一体となっているため、金属製部材２８を小型にでき、しかも、係合突起４８の動きと第１の検知用端子２６の動きとが連動しているので検知が確実である。
【００２６】
図６及び図７を参照して、上記第１の電気コネクタ２０の変形例を説明する。
【００２７】
図６は第１の電気コネクタ２０の変形例である第１の電気コネクタ５０と、第２の電気コネクタ４０とが完全に嵌合した状態を示す説明図である。図７は、第１の電気コネクタ５０が備えた金属製部材２８’を示す、（ａ）は平面図、（ｂ）は側面図、（ｃ）は正面図である。これらの図では、図１に示す構成要素と同一の構成要素が同一の符号で示されている。
【００２８】
第１の電気コネクタ５０の雄型ハウジング５２には、係合突起４８に係合する係合突起５４が形成されている。また、ラッチアーム５６と第１の検知用端子２６は一枚の金属板を折り曲げ部５８で折り曲げることにより形成され、金属製部材２８’を構成している。また、図１に示す押圧突起３２に代えて、ラッチアーム５６を切り起こした押圧突起６０が形成されている。さらに、ラッチアーム５６の一端部には固定孔６２が形成されており、この固定孔６２に雄型ハウジング５２の凸部またはランスが嵌め込まれることにより、ラッチアーム５６が雄型ハウジング５２に固定される。また、ラッチアーム５６の中央部には、ラッチアーム５６を切り起こして押圧突起６０を形成したため弱まったラッチアーム５６を補強するディンプル６４が形成されている。
【００２９】
このように第１の電気コネクタ５０を構成しても、金属製部材２８’を小型にでき、しかも、係合突起４８の動きと第１の検知用端子２６の動きとが連動しているので検知が確実である。
【００３０】
次に、図８を参照して本発明の電気コネクタ組立体の第２実施形態を説明する。
【００３１】
図８は、本発明の電気コネクタ組立体の第２実施形態を示す、（ａ）は斜視図、（ｂ）は（ａ）の電気コネクタ組立体が接続された警告灯を有する電気回路を示す説明図である。
【００３２】
電気コネクタ組立体７０は、雄型ハウジング８２を備えた第１の電気コネクタ８０と、雄型ハウジング８２を受容する受容部１０１が形成された雌型ハウジング１０２を備えた第２の電気コネクタ１００とからなり、これら第１及び第２の電気コネクタ８０，１００が嵌合途中の半嵌合状態か嵌合が終了した完全嵌合状態かを表す警告灯７２に電気的に接続されている。尚、この警告灯７２を有する電気回路には、抵抗７４、電源７６、スイッチ７８が接続されており、このスイッチ７８に相当するものが、雌型ハウジング１０２が備えている２つの検知用端子１０４である。
【００３３】
第２の電気コネクタ１００は、互いに並んで嵌合方向（矢印Ａ方向）に延びると共に互いに接離自在な接触部１０６を有する２つの検知用端子１０４を備えている。この２つの検知用端子１０４は、上述したように、警告灯７２に電気的に接続され、この警告灯７２のスイッチとして機能する。また、第２の電気コネクタ１００は、第１及び第２の電気コネクタ８０，１００が完全に嵌合した完全嵌合状態で雄型ハウジング８２と雌型ハウジング１０２との抜け止めをする係合突起１０８も備えている。２つの検知用端子１０４と係合突起１０８は、受容部１０１に向き合う雌型ハウジング内壁面１０２ａに備えられている。
【００３４】
また、第１の電気コネクタは、雄型ハウジング８２の外壁面８２ａに、上記の完全嵌合状態で接触部１０６の間に入り込み接触部１０６を互いに引き離すことにより半嵌合状態と完全嵌合状態とで検知用端子１０４と警告灯７２との接続状態を切り替える引離し突起８４を有している。雄型ハウジング８２の外壁面８２ａには、完全嵌合状態で係合突起１０８と係合する係合部８６が形成されている。この外壁面８２は、完全嵌合状態で内壁面１０２ａに対向する。
【００３５】
第１及び第２の電気コネクタ８０，１００を嵌合する際、半嵌合状態では係合突起１０８が斜面８８に乗り上げながら嵌合が進み、この半嵌合状態では接触部１０６が接触して警告灯７２が点灯している。完全嵌合状態では、係合突起１０８が斜面８８を乗り越え、係合部８６と係合すると共に、接触部１０６が引離し突起８４により引き離され、警告灯７２が消灯する。これにより、第１及び第２の電気コネクタ８０，１００が半嵌合状態か完全嵌合状態かが検知される。接触部１０６は雌型ハウジング１０２の内部に形成されているので、外部との接触による汚れや変形を防止でき、半嵌合状態か完全嵌合状態かを確実に検知できる。さらに、引離し突起８４と検知用端子１０４が警告灯のスイッチとして機能するので、比較的少ない部材で単純な構造にすることができる。しかも、接触部１０６の引き離し及び係合部８６と係合突起１０８の係合双方が連動しているので半嵌合状態か完全嵌合状態かを確実に検知できる。
【００３６】
次に、図９，図１０を参照して本発明の電気コネクタ組立体の第３実施形態を説明する。
【００３７】
図９は、本発明の電気コネクタ組立体の第３実施形態の半嵌合状態を示す、（ａ）は平面図、（ｂ）は（ａ）のＢ−Ｂ断面図である。図１０は、図９に示す電気コネクタ組立体の完全嵌合状態を示す、（ａ）は平面図、（ｂ）は（ａ）のＣ−Ｃ断面図である。
【００３８】
電気コネクタ組立体１１０は、雄型ハウジング１２２を備えた第１の電気コネクタ１２０と、雄型ハウジング１２２を受容する受容部１１１が形成された雌型ハウジング１４２を備えた第２の電気コネクタ１４０とからなり、これら第１及び第２の電気コネクタ１２０，１４０が嵌合途中の半嵌合状態か嵌合が終了した完全嵌合状態かを表す警告灯（図示せず）に電気的に接続されている。
【００３９】
第２の電気コネクタ１４０は、互いに並んで嵌合方向（矢印Ａ方向）に延びると共に互いに接離自在な接触部１４４を有する２つの検知用端子１４６を備えている。この２つの検知用端子１４６は、警告灯に電気的に接続されている。また、第２の電気コネクタ１４０は、第１及び第２の電気コネクタ１２０，１４０が完全に嵌合した完全嵌合状態で雄型ハウジング１２２と雌型ハウジング１４２との抜け止めをする係合突起１４８も備えている。２つの検知用端子１４６と係合突起１４８は、受容部１１１内に備えられている。
【００４０】
第１の電気コネクタ１２０は、雄型ハウジング１２２に形成されたラッチアーム１２４を備えている。このラッチアーム１２４には、第１及び第２の電気コネクタ１２０，１４０の完全嵌合状態で係合突起１４８に係合する係合突起１２６と、この完全嵌合状態で接触部１４４を互いに接触させるテーパ部（本発明にいう切替部の一例）１２８が形成されている。このテーパ部１２８により、図１０に示す如く検知用端子１４６が互いに接近して上記したように、完全嵌合状態で接触部１４４が互いに接触するので、半嵌合状態と完全嵌合状態とで検知用端子１４６と警告灯との接続状態を切り替えることができ、第１及び第２の電気コネクタ１２０，１４０が半嵌合状態か完全嵌合状態かが検知される。また、接触部１４４は雌型ハウジング１４２の内部に形成されているので、外部との接触による汚れや変形を防止でき、半嵌合状態か完全嵌合状態かを確実に検知できる。さらに、ラッチアーム１２４と検知用端子１４６が警告灯のスイッチとして機能するので、比較的少ない部材で単純な構造にすることができる。しかも、接触部１４４の接触と係合突起１２６，１４８の係合とが連動しているので半嵌合状態か完全嵌合状態かを確実に検知できる。尚、係合突起１２６，１４８の係合を解除するには、押圧部１３０を押圧しながら第１及び第２の電気コネクタ１２０，１４０を引き離す。
【００４１】
次に、図１１、図１２を参照して本発明の電気コネクタ組立体の第４実施形態を説明する。
【００４２】
図１１は電気コネクタ組立体を示す模式図、図１２は図１１に示す電気コネクタ組立体の一部を拡大して示す、（ａ）は係合部材の平面図、（ｂ）はＵの字状の金属製部材の斜視図である。
【００４３】
電気コネクタ組立体１５０は、雌型ハウジング１６２を備えた第１の電気コネクタ１６０と、雌型ハウジング１６２を受容する受容部１８４が形成された雄型ハウジング１８２を備えた第２の電気コネクタ１８０とからなり、これら第１及び第２の電気コネクタ１６０，１８０が嵌合途中の半嵌合状態か嵌合が終了した完全嵌合状態かを表す警告灯（図示せず）に電気的に接続されている。
【００４４】
第２の電気コネクタ１８０の受容部１８４には、電気的に接離自在に接続されるＵの字状の金属製部材１９０が組み込まれている。このＵの字状の金属製部材１９０は、嵌合方向（矢印Ａ方向）に延び受容部１８４に固定された固定片１９２と、固定片１９２の嵌合方向一端部１９４から湾曲して固定片１９２に向き合って延び固定片１９２に遠近する方向に撓むばね片１９６とで構成されている。ばね片１９６の面のうち、固定片１９２に向き合う面とは反対側の面１９６ａには、完全嵌合状態で雌型ハウジング１６２と雄型ハウジング１８２との抜け止めをする係合突起１９８と、警告灯に通電するための２つの嵌合検知用突起２００が形成されている。
【００４５】
第１の電気コネクタ１６０は、第１及び第２の電気コネクタ１６０，１８０の完全嵌合状態で係合突起１９８と係合する係合部材１６４を備えており、完全嵌合状態で係合突起１９８が係合溝１６６に嵌り込む。また、係合部材１６４の幅方向両端には、警告灯に接続される嵌合検知用端子１６８が固定されている。この嵌合検知用端子１６８は、完全嵌合状態で嵌合検知用突起２００に接続される。
【００４６】
第１及び第２の電気コネクタ１６０，１８０が嵌合し始めた初期の半嵌合状態では、係合部材１６４の先端部１６４ａが係合突起１９８に乗り上げ、ばね片１９６を固定片１９２に向けて押圧することにより嵌合検知用突起２００と嵌合検知用端子１６８とを互いに離間させる。第１及び第２の電気コネクタ１６０，１８０の嵌合が終了した完全嵌合状態では、係合突起１９８が係合溝１６６に嵌り込み、係合部材１６４によるばね片１９６の押圧が解除され、ばね片１９６が元の位置に戻り、嵌合検知用突起２００と嵌合検知用端子１６８とが接続される。このようにして、完全嵌合状態で嵌合検知用突起２００と嵌合検知用端子１６８とが接続されるので、半嵌合状態と完全嵌合状態とで嵌合検知用突起２００と警告灯との接続状態を切り替えることができ、第１及び第２の電気コネクタ１６０，１８０が半嵌合状態か完全嵌合状態かが検知される。また、金属製部材１９０は雄型ハウジング１８２の内部に形成されているので、外部との接触による汚れや変形を防止でき、半嵌合状態か完全嵌合状態かを確実に検知できる。さらに、係合部材１６４と金属製部材１９０が警告灯のスイッチとして機能するので、比較的少ない部材で単純な構造にすることができる。しかも、係合突起１９８の係合と嵌合検知用突起２００の接続とが連動しているので半嵌合状態か完全嵌合状態かを確実に検知できる。また、係合突起１９８と係合部材１６４との係合を解除するには、係合解除ボタン２０２を押圧しながら第１及び第２の電気コネクタ１６０，１８０を引き離す。尚、係合解除ボタン２０２にはＯリング２０４が嵌め込まれており、金属部材１９０を収容している空間を形成する壁２０６にはシールリング２０８が嵌め込まれている。このため、受容部１８４が防水されており、電気コネクタ組立体１５０は防水型になっている。
【図面の簡単な説明】
【００４７】
【図１】本発明の電気コネクタ組立体の第１実施形態が嵌合し始めた初期の半嵌合状態を示す断面図である。
【図２】図１に示す状態からやや嵌合が進んだ半嵌合状態を示す断面図である。
【図３】図２に示す状態からやや嵌合が進んだ半嵌合状態を示す断面図である。
【図４】図３に示す状態からやや嵌合が進み、完全に嵌合する直前の半嵌合状態を示す断面図である。
【図５】図４に示す状態からやや嵌合が進み、完全に嵌合した完全嵌合状態を示す断面図である。
【図６】図１に示す第１の電気コネクタの変形例である第１の電気コネクタと、第２の電気コネクタとが完全に嵌合した状態を示す説明図である。
【図７】第１の電気コネクタが備えた金属製部材を示す、（ａ）は平面図、（ｂ）は側面図、（ｃ）は正面図である。
【図８】本発明の電気コネクタ組立体の第２実施形態を示す、（ａ）は斜視図、（ｂ）は（ａ）の電気コネクタ組立体が接続された警告灯を有する電気回路を示す説明図である。
【図９】本発明の電気コネクタ組立体の第３実施形態の半嵌合状態を示す、（ａ）は平面図、（ｂ）は（ａ）のＢ−Ｂ断面図である。
【図１０】本発明の電気コネクタ組立体の第３実施形態の完全嵌合状態を示す、（ａ）は平面図、（ｂ）は（ａ）のＣ−Ｃ断面図である。
【図１１】本発明の電気コネクタ組立体の第４実施形態を示す模式図である。
【図１２】図１１に示す電気コネクタ組立体の一部を拡大して示す、（ａ）は係合部材の平面図、（ｂ）はＵの字状の金属製部材の斜視図である。
【符号の説明】
【００４８】
１０，７０，１１０，１５０    電気コネクタ組立体
２０，５０，８０，１２０，１６０    第１の電気コネクタ
２２，５２，８２，１２２，１８２    雄型ハウジング
２４，１２４    ラッチアーム
２６    第１の検知用端子
２８，５２    金属製部材
３０    係合孔
３２，６０    押圧突起
４０，１００，１４０，１８０    第２の電気コネクタ
４２，１０２，１４２，１６２    雌型ハウジング
４４    第２の検知用端子
４８，１０８，１２６，１４８，１９８    係合突起
７２    警告灯
８４    引離し突起
１０１，１１１，１８４    受容部
１０４，１４６    検知用端子
１０６，１４４    接触部
１９０    Ｕの字状の金属製部材
１９２    固定片
１９６    ばね片
２００    嵌合検知用突起
【図１】
2006140167.tif 000003
【図２】
2006140167.tif 000004
【図３】
2006140167.tif 000005
【図４】
2006140167.tif 000006
【図５】
2006140167.tif 000007
【図６】
2006140167.tif 000008
【図７】
2006140167.tif 000009
【図８】
2006140167.tif 000010
【図９】
2006140167.tif 000011
【図１０】
2006140167.tif 000012
【図１１】
2006140167.tif 000013
【図１２】
2006140167.tif 000014